(57)【要約】【課題】従来のシートクリップでは、シートの保持力が充分であるとは言い難い面があると共に、シートに損傷を与えることがあるという問題点があった。【解決手段】 壁等の竪面Ｆに対向するベース部１を有する第１部材Ｐ１と、軟質樹脂製の第２部材Ｐ２を備え、第１部材Ｐ１は、回動するレバー２と、レバー２をベース部側の回動位置で拘束するロック手段を備えると共に、ベース部１に、第２部材Ｐ２の取付け孔３を有し、第２部材Ｐ２は、取付け孔に嵌合する軸部１４と、膨出部１５と、竪面Ｆへの固定部である吸盤１６を有し、第１部材Ｐ１のレバー２と第２部材Ｐ２の膨出部１５との間でシートＳを挟持するシートクリップＣ１とすることで、構造が簡単になり、シートＳの充分な保持力を確保すると共に、シートＳの損傷も防止する。【選択図】図１
2012063667.tif 000002
【特許請求の範囲】
【請求項１】
壁等の竪面にシート類を保持するのに用いるシートクリップであって、
竪面に対向するベース部を有する第１部材と、軟質樹脂製の第２部材を備え、
第１部材は、ベース部に対して近接離間する方向に回動するレバーと、このレバーをベース部側の回動位置で拘束するためのロック手段を備えると共に、ベース部に、第２部材の取付け孔を有しており、
第２部材は、取付け孔に嵌合する軸部の一端部に、レバー側への膨出部を有すると共に、軸部の他端側に、竪面への固定部を有しており、
ベース部側の回動位置で拘束した第１部材のレバーと第２部材の膨出部との間でシート類を挟持することを特徴とするシートクリップ。
【請求項２】
第１部材が、ベース部に相対向する保持片を備えると共に、この保持片に前記レバーが回動自在に設けてあり、
ロック手段が、レバー及び保持片のいずれか一方に設けた係止爪と、他方側において前記係止爪が係脱自在な係止部を備えていることを特徴とする請求項１に記載のシートクリップ。
【請求項３】
第２部材の固定部が、吸盤を備えていることを特徴とする請求項１又は２に記載のシートクリップ。
【請求項４】
第２部材の固定部が、マグネットを備えていることを特徴とする請求項１又は２に記載のシートクリップ。
【請求項５】
第２部材の固定部が、粘着シートを備えていることを特徴とする請求項１又は２に記載のシートクリップ。
【発明の詳細な説明】
【技術分野】
【０００１】
本発明は、壁、掲示板、及び什器等の竪面において、ポスターなどのシート類を挟んで保持しておくのに用いられるシートクリップに関するものである。
【背景技術】
【０００２】
一般に、壁等の竪面にポスターなどのシート類を貼り付けるには、画鋲、粘着テープ、及びマグネット等を使用するのがごく普通である。その一方で、広告宣伝用品を取扱う業界においては、シート類を体裁良く保持するために、様々な工夫を凝らしたものが提案されている。例えば、特許文献１に記載されているように、板ばねで連結した一対の部材によってシートを挟持するようにしたピンチ状のものや、特許文献２に記載されているように、吸盤と画鋲とを組み合わせたものなどがあった。
【先行技術文献】
【特許文献】
【０００３】
【特許文献１】特開平０７−３２９４７０号公報
【特許文献２】特開平１１−０２２７１７号公報
【発明の概要】
【発明が解決しようとする課題】
【０００４】
しかしながら、上記したような従来のシートクリップにおいて、一対の部材でシートを挟持するピンチ状のものでは、とくに、シートがポスター等の滑らかな紙である場合に、シートとの間に滑りが生じやすく、シートの保持力が充分であるとは言い難い面があり、これを解消するために挟持部分に滑り止めを設ければ、構造がより複雑になって製造コストの増大が確実である。また、滑り止めとしてシートに食い込む爪状部分を一体的に形成することも考えられるが、この場合には、画鋲や粘着テープ等と同様にシートに損傷を与えるという問題点がある。
【０００５】
本発明は、上記従来の状況に鑑みて成されたもので、構造が簡単であり、シート類の充分な保持力を有すると共に、シート類の損傷を防ぐことができるシートクリップを提供することを目的としている。
【課題を解決するための手段】
【０００６】
本発明に係わるシートクリップは、請求項１として、壁等の竪面にシート類を保持するのに用いるシートクリップであって、竪面に対向するベース部を有する第１部材と、軟質樹脂製の第２部材を備え、第１部材は、ベース部に対して近接離間する方向に回動するレバーと、このレバーをベース部側の回動位置で拘束するためのロック手段を備えると共に、ベース部に、第２部材の取付け孔を有しており、第２部材は、取付け孔に嵌合する軸部の一端部に、レバー側への膨出部を有すると共に、軸部の他端側に、竪面への固定部を有しており、ベース部側の回動位置で拘束した第１部材のレバーと第２部材の膨出部との間でシート類を挟持する構成としており、上記構成をもって従来の課題を解決するための手段としている。
【０００７】
また、本発明に係わるシートクリップは、請求項２として、第１部材が、ベース部に相対向する保持片を備えると共に、この保持片に前記レバーが回動自在に設けてあり、ロック手段が、レバー及び保持片のいずれか一方に設けた係止爪と、他方側において前記係止爪が係脱自在な係止部を備えていることを特徴としており、請求項３として、第２部材の固定部が、吸盤を備えていることを特徴とし、請求項４として、第２部材の固定部が、マグネットを備えていることを特徴とし、請求項５として、第２部材の固定部が、粘着シートを備えていることを特徴としている。
【発明の効果】
【０００８】
本発明の請求項１に係わるシートクリップによれば、構造が簡単になり、シート類の充分な保持力を得ることができると共に、シート類の損傷を防ぐこともできる。また、構造の簡略化に伴って、小型軽量化や製造コストの低減にも貢献することができる。
【０００９】
本発明の請求項２に係わるシートクリップによれば、請求項１と同様の効果を得ることができるうえに、外観体裁が良好になるうえに、ロック手段の構成も非常に簡単なものとなり、構造のさらなる簡略化や小型軽量化を実現することができる。
【００１０】
本発明の請求項３に係わるシートクリップによれば、吸盤の採用により、平滑な竪面に対して自由に着脱することができる。また、本発明の請求項４に係わるシートクリップによれば、マグネットの採用により、磁性体から成る壁面に対して自由に着脱することができる。さらに、本発明の請求項５に係わるシートクリップによれば、粘着シートの採用により、各種の壁面に対して自由に固定することができる。
【図面の簡単な説明】
【００１１】
【図１】本発明に係わるシートクリップの一実施形態を説明するシート解放状態の断面説明図（Ａ）、及びシート挟持状態の断面説明図（Ｂ）である。
【図２】図１に示すシートクリップの平面図（Ａ）、第１部材の側面図（Ｂ）、及び第１部材の底面図（Ｃ）である。
【図３】図１に示すシートクリップでシートを保持している状態を示す正面図である。
【図４】本発明に係わるシートクリップの他の実施形態を説明する断面説明図である。
【図５】本発明に係わるシートクリップのさらに他の実施形態を説明する断面説明図である。
【発明を実施するための形態】
【００１２】
図１〜図３は、本発明に係わるシートクリップの一実施形態を説明する図である。図１及び図２に示すシートクリップＣ１は、壁、掲示板、及び什器等の竪面において、ポスターなどのシート類を保持しておくのに用いるものであって、竪面に対向するベース部１を有する第１部材Ｐ１と、軟質樹脂製の第２部材Ｐ２を備えている。
【００１３】
第１部材Ｐ１は、例えば、ポリカーボネート等の適宜の樹脂から成り、基本構成として、前記ベース部１と、ベース部１に対して近接離間する方向に回動するレバー２と、このレバー２をベース部１側の回動位置で拘束するためのロック手段を備えている。また、ベース部１には、第２部材Ｐ２の取付け孔３が形成してある。
【００１４】
この実施形態における第１部材Ｐ１は、ベース部１が円板状を成していて、このベース部１に所定間隔をおいて相対向する概略円板状の保持片４を有している。ベース部１と保持片４は、円周上の一箇所において、連接部５により互いに一体化してある。連接部５の内側中央には、シート類の角部を受けるための断面三角形状の溝部６が形成してある。
【００１５】
保持片４には、とくに図２（Ａ）に示すように、連接部５とは反対側に開放した切欠部７と、切欠部７の奥部両側に配置した軸保持部８，８が形成してあり、この切欠部７内にレバー２が回動自在に装着してある。
【００１６】
レバー２は、図１中で右側となる回動中心側の両端部に、保持片４の軸保持部８，８に対して回動自在に係合する回動軸９，９を有すると共に、両回動軸９，９間に、ベース部１側へ突出する半円柱状の膨出部１０を有している。また、レバー２は、とくに図２（Ｂ）に示すように、回動先端側の両端部に、係止爪１１，１１を有している。この係止爪１１，１１は、保持片４の切欠部７における開放部の両側裏面を係止部１２，１２として、この係止部１２，１２に対して係脱自在である。
【００１７】
ロック手段は、レバー２をベース部１側の回動位置で拘束するものであって、具体的には、レバー２及び保持片４のいずれか一方に設けた係止爪と、他方側において前記係止爪が係脱自在な係止部を備えており、この実施形態では、上記したように、一方側であるレバー２の係止爪１１と、他方側である保持片４の係止部１２とで構成してある。
【００１８】
ここで、前記レバー２は、回動中心側及び回動先端側の夫々両側近傍にスリット２０が形成してあり、これにより、回動中心側においては、保持片４の軸保持部８，８に対して回動軸９，９を弾性的に係合可能にし、他方、回動先端側においては、保持片４の係止部１２，１２に対して係止爪１１，１１を弾性的に係脱可能にしている。また、レバー２は、回動先端部に、係止爪１１よりも僅かに突出した先端縁部１３を有しており、ロック手段を解除して回動させる際に指先を引掛け易くしてある。
【００１９】
ベース部１における取付け孔３は、とくに図２（Ｃ）に示すように、連接部５とは反対側に配置した大径孔３Ａと、ベース部１の中心に配置した小径孔３Ｂとを一部で連続させたものであって、双方の連続部分は小径孔３Ｂの直径よりも狭くなっている。
【００２０】
第２部材Ｐ２は、取付け孔３の小径孔３Ｂに嵌合する軸部１４を有し、この軸部１４の一端部に、レバー２側への膨出部１５を有すると共に、軸部１４の他端側に、竪面への固定部を有している。この実施形態における第２部材Ｐ２は、膨出部１５が、取付け孔３の大径孔３Ａよりも小径の略半球状を成していると共に、固定部が、吸盤１６によって構成されている。
【００２１】
前記第２部材Ｐ２は、先述の如く軟質樹脂製であって、上記の軸部１４、膨出部１５及び吸盤１６を同軸状に一体成形したものである。そして、前記第２部材Ｐ２は、第１部材Ｐ１に対して、取付け孔３の大径孔３Ａに膨出部１５を通した後、軸部１４を横にずらせて小径孔３Ｂに嵌入させるだけで、組み立てが完了する。この際、取付け孔３は、大径孔３Ａと小径孔３Ｂとの連続部分が軸部１４の直径よりも狭いので、第２部材Ｐ２が不用意に外れることはない。
【００２２】
上記構成を備えたシートクリップＣ１は、図１（Ａ）に示すように、レバー２をベース部１から離間する方向（図中上側方向）に回動させると、レバー２の膨出部１０と第２部材Ｐ２の膨出部１５との間に隙間を形成する。この状態において、シート（例えばポスター）Ｓを隙間に挿入し、シートＳの角部を溝部６に合わせる。
【００２３】
その後、シートクリップＣ１は、レバー２をベース部１に近接する方向に回動させ、係止爪１１，１１を係止部１２，１２に係合させると、図１（Ｂ）に示すように、レバー２が拘束されると同時に、レバー２の膨出部１０と第２部材Ｐ２の膨出部１５との間でシートＳを挟持する。このようにして、図３に示すように、シートＳの四隅にシートクリップＣ１を取付けると共に、各シートクリップＣ１の吸盤１６を竪面Ｆに吸着させることで、同竪面Ｆに対してシートＳを体裁よく保持することとなる。
【００２４】
なお、予め竪面ＦにシートクリップＣ１を吸着させておいてから、シートＳを取付けることも勿論可能であるし、シートＳの角部を溝部６に合わせずに、シートＳの一辺を挟持するようにしても良い。
【００２５】
上記実施形態のシートクリップＣ１は、第１部材Ｐ１と第２部材Ｐ２から成る簡単な構造であって、小型軽量化であると共に、比較的安価に製造することが可能であり、組み立ても非常に簡単である。そして、シートクリップＣ１は、第１部材Ｐ１と軟質樹脂から成る第２部材Ｐ２を備えると共に、ロック手段により拘束したレバー２と軟質部材製の第２部材Ｐ２の膨出部１５との間でシートＳを挟持するので、シートＳがポスター等の滑らかな紙であっても、膨出部１５とシートＳとの間では滑りが生じ難く、シートＳの充分な保持力を得ることができる。
【００２６】
また、シートクリップＣ１は、充分な保持力が得られるにも関わらず、シートＳを挟持するだけの構造であるから、シートＳに損傷を与える心配も全く無く、レバー２を回動させるだけで、シートＳの挟持を簡単に解除することができる。
【００２７】
さらに、シートクリップＣ１は、保持片４を備えると共に、この保持片４にレバー２を回動可能に設けた構成としたので、外観体裁が良好であると共に、一実施形態として係止爪１１及び係止部１２を例示したように、ロック手段の構成を簡単なものにすることができる。そしてさらに、上記実施形態のシートクリップＣ１は、固定部としての吸盤１６を採用したことにより、平滑な竪面Ｆに対して自由に着脱することができる。
【００２８】
図４は、本発明に係わるシートクリップの他の実施形態を説明する図である。なお、先の実施形態と同一の構成部位は、同一符号を付して詳細な説明を省略する。
【００２９】
図示のシートクリップＣ２は、第２部材Ｐ２の固定部が、シート状部２６と、シート部２６に接着したマグネット２７を備えている。このマグネット２７には、固形状の磁石だけでなく、可撓性を有するマグネットシートを用いることもできる。この実施形態のシートクリップＣ２にあっても、先の実施形態のものと同等の作用及び効果を得ることができ、とくに、固定部としてのマグネット２７を採用したことにより、磁性体から成る竪面に対して自由に着脱することができる。
【００３０】
図５は、本発明に係わるシートクリップの他の実施形態を説明する図である。なお、先の実施形態と同一の構成部位は、同一符号を付して詳細な説明を省略する。
【００３１】
図示のシートクリップＣ３は、第２部材Ｐ２の固定部が、シート状部２６と、シート部２６に接着した粘着シート２８を備えている。この粘着シート２８としては、例えば、両面テープのように剥離紙を有するものを採用することができる。この実施形態のシートクリップＣ２にあっても、先の実施形態のものと同等の作用及び効果を得ることができ、とくに、固定部としての粘着シート２８を採用したことにより、様々な壁面に自由に固定することができる。
【００３２】
上記の各実施形態では、いずれも保持片を有すると共に、この保持片に対してレバーを回動可能に設けた場合を説明したが、ベース部に対して直接的にレバーを取付けた構成にすることも可能である。レバーのロック手段にあっても、第１部材やレバーの構成に応じて変更することが可能である。例えば、周知のＩＤカードホルダー等のクリップに見られるように、レバーの回動と拘束解除とを連動させる操作部を設け、操作部によりレバーを回動させて、拘束したレバーの適当な部位と第２部材の膨出部とでシートを挟持する構成（レバーを間接的に拘束解除する構成）にすることもできる。
【００３３】
本発明に係わるシートクリップは、その構成が上記の各実施形態に限定されるものではなく、各実施形態の構成部位の形状等を変更することが可能であると共に、本発明の要旨を逸脱しない範囲において構成の細部を適宜変更することが可能である。
【符号の説明】
【００３４】
Ｆ          竪面
Ｃ１〜Ｃ３  シートクリップ
Ｐ１        第１部材
Ｐ２        第２部材
Ｓ          シート
１          ベース部
２          レバー
３          取付け孔
４          保持片
１１        係止爪（ロック手段）
１２        係止部（ロック手段）
１４        軸部
１５        膨出部
１６        吸盤（固定部）
２６        シート状部（固定部）
２７        マグネット（固定部）
２８        粘着シート（固定部）
【図１】
2012063667.tif 000003
【図２】
2012063667.tif 000004
【図３】
2012063667.tif 000005
【図４】
2012063667.tif 000006
【図５】
2012063667.tif 000007